(57)【特許請求の範囲】
【請求項１】
枠体（１）内に空気流路（２）を配置し、該空気流路（２）の端に空気吸込口（３）と、空気吹出口（４）とを設け、空気吸込口（３）から空気吹出口（４）に至る空気流路（２）に空気流を作り出す送風ファン（５）を設けた空気調和機において、
前記空気吹出口（４）は前記枠体（１）内で上方に向かって開口し、前記空気吹出口（４）より上方の前記枠体（１）前面上部と前記枠体（１）上面との連続するコーナー部に開口部（１ａ）を形成し、該開口部（１ａ）には前記空気吹出口（４）から上方へ向かう空気流を前記枠体（１）上方と前記枠体（１）前方との間で可変するルーバー枠体（６）を回動自在に取り付け、
該ルーバー枠体（６）は、前記開口部（１ａ）の前記枠体（１）上面側の全体を覆う大きさの上ルーバー（６ａ）と、該上ルーバー（６ａ）の下面に間隔（７）をあけて前記上ルーバー（６ａ）と略平行に配置した下ルーバー（６ｂ）と、前記間隔（７）に配置されて左右に可動自在に設けた複数の風向板（６ｃ）とで構成し、
かつ、前記空気吹出口（４）は前記開口部（１ａ）より前後方向の長さを短くして、前記枠体（１）前面側に寄せて配置し、
前記下ルーバー（６ｂ）は前記上ルーバー（６ａ）より前後方向の長さを短くして、前記ルーバー枠体（６）の後部側に寄せて配置すると共に、前記風向板（６ｃ）の前縁位置を前記下ルーバー（６ｂ）の前縁位置と一致させ、
前記上ルーバー（６ａ）が前記開口部（１ａ）の前記枠体（１）上面側を開口する回動位置では、前記下ルーバー（６ｂ）の後縁が前記開口部（１ａ）の上方に位置し、前記空気吹出口（４）から上方に向かう空気流は前記間隔（７）を通過し、前記風向板（６ｃ）によって風向きを制御された空気流が前記開口部（１ａ）から吹き出し、
前記上ルーバー（６ａ）が前記開口部（１ａ）の前記枠体（１）上面側を塞ぐ回動位置では、前記下ルーバー（６ｂ）が前記空気吹出口（４）より後方の上面板（４ａ）の上方に位置し、前記空気吹出口（４）から上方に向かう空気流は、前記下ルーバー（６ｂ）によって前記間隔（７）への流入が阻止され、前記上ルーバー（６ａ）の下面で流れを変え、前記風向板（６ｃ）で制御されない空気流が前記開口部（１ａ）から前記枠体（１）前方に吹き出すことを特徴とする空気調和機の吹出口に備えたルーバー構造。
【請求項２】
前記風向板（６ｃ）の後縁位置は前記下ルーバー（６ｂ）の後縁位置よりも長くして、前記上ルーバー（６ａ）が開口部（１ａ）の枠体（１）上面側を開口する回動位置では、
風向板（６ｃ）の後縁位置が下ルーバー（６ｂ）の後縁位置よりも空気吹出口（４）側に位置することを特徴とする請求項１に記載した空気調和機の吹出口に備えたルーバー構造。
【請求項３】
前記ルーバー枠体（６）には複数の風向板（６ｃ）を連結する連結部材（８）を取付け、複数の風向板（６ｃ）が連動して同一方向を向く風向板ユニット（Ｕ）を構成し、
２つの風向板ユニット（Ｕ）をルーバー枠体（６）内に左右に並べて配置し、２つの風向板ユニット（Ｕ）の隣接する２枚の風向板（６ｃ’）に取り付けて、２つの風向板ユニット（Ｕ）を連結するユニット連結部材（９）を設け、２つの風向板ユニット（Ｕ）はユニット連結部材（９）によって連動して互いに逆方向を向くことを特徴とする請求項１または２に記載した空気調和機の吹出口に備えたルーバー構造。
【発明の詳細な説明】
【技術分野】
【０００１】
この発明は、除湿機などの空気調和機の吹出口に備えた風向を変更するルーバーの構造に関する。
【背景技術】
【０００２】
空気調和機は枠体に空気吸込口と空気吹出口とを設け、空気吸込口から空気吹出口に至る空気流路には送風ファンを取り付け、送風ファンによって空気吸込口から室内空気を取り入れ、空気流路を流れて空気調和された空気を空気吹出口から室内に吹き出すことによって室内空気の空気調和を行う構造となっている。そして、空気吹出口には風向変更用のルーバーが設けられ、ルーバーによって空気吹出口から吹き出す風を任意の方向に向けることができるようになっている（特許文献１参照）。
【０００３】
このような空気調和機には、枠体内に冷凍サイクルを備えた室内空気を除湿する除湿機があり、除湿機は、室内を除湿する目的の他に、室内に干した洗濯物の乾燥や、押し入れや靴箱などの湿気の発生しやすい収納空間を乾燥するときにも利用されるようになっている。このため、それぞれの用途に応じてルーバーの角度を変更して調和空気の吹き出し方向を調節している。
【特許文献１】特開２００１−２５４９７０号  公報
【発明の開示】
【発明が解決しようとする課題】
【０００４】
このような除湿機において、洗濯物の乾燥を行うときは、乾燥空気を直接洗濯物にあてる必要があるため、吹出方向を左右に変更するルーバーを備え、洗濯物の量によって左右方向の吹出角度や吹出幅を変更できるようにすることで、洗濯物の乾燥を効率よく行うことができる。
一方、押し入れや靴箱など狭い収納空間の乾燥を行うときは、収納空間の外に空気調和機を設置し、空気吹出口から吹き出す乾燥空気を収納空間へ送るものであるが、吹き出し方向を左右に変更するルーバーを備えていると、左右方向のルーバーのセットを忘れたまま収納空間の乾燥に使用することがあり、乾燥空気が一部だけしか収納空間内に送り込まれなるため、収納空間の乾燥を効率よく行うことができず、電力を無駄に消費してしまうことになる。
【０００５】
このため、室内の除湿や洗濯物の乾燥をするときは、ルーバーによって吹き出し角度や吹き出し幅が容易に調節でき、収納空間の乾燥を行うときには、乾燥空気を確実に収納空間へ送ることのできる構造が必要となる。
【課題を解決するための手段】
【０００６】
この発明は上記の課題を解決するもので、枠体１内に空気流路２を配置し、該空気流路２の端に空気吸込口３と、空気吹出口４とを設け、空気吸込口３から空気吹出口４に至る空気流路２に空気流を作り出す送風ファン５を設けた空気調和機において、前記空気吹出口４は前記枠体１内で上方に向かって開口し、前記空気吹出口４より上方の前記枠体１前面上部と前記枠体１上面との連続するコーナー部に開口部１ａを形成し、該開口部１ａには前記空気吹出口４から上方へ向かう空気流を前記枠体１上方と前記枠体１前方との間で可変するルーバー枠体６を回動自在に取り付け、該ルーバー枠体６は、前記開口部１ａの前記枠体１上面側の全体を覆う大きさの上ルーバー６ａと、該上ルーバー６ａの下面に間隔７をあけて前記上ルーバー６ａと略平行に配置した下ルーバー６ｂと、前記間隔７に配置されて左右に可動自在に設けた複数の風向板６ｃとで構成し、かつ、前記空気吹出口４は前記開口部１ａより前後方向の長さを短くして、前記枠体１前面側に寄せて配置し、前記下ルーバー６ｂは前記上ルーバー６ａより前後方向の長さを短くして、前記ルーバー枠体６の後部側に寄せて配置すると共に、前記風向板６ｃの前縁位置を前記下ルーバー６ｂの前縁位置と一致させ、前記上ルーバー６ａが前記開口部１ａの前記枠体１上面側を開口する回動位置では、前記下ルーバー６ｂの後縁が前記開口部１ａの上方に位置し、前記空気吹出口４から上方に向かう空気流は前記間隔７を通過し、前記風向板６ｃによって風向きを制御された空気流が前記開口部１ａから吹き出し、前記上ルーバー６ａが前記開口部１ａの前記枠体１上面側を塞ぐ回動位置では、前記下ルーバー６ｂが前記空気吹出口４より後方の上面板４ａの上方に位置し、前記空気吹出口４から上方に向かう空気流は、前記下ルーバー６ｂによって前記間隔７への流入が阻止され、前記上ルーバー６ａの下面で流れを変え、前記風向板６ｃで制御されない空気流が前記開口部１ａから前記枠体１前方に吹き出すことを特徴とする。
【０００８】
また、前記風向板６ｃの後縁位置は前記下ルーバー６ｂの後縁位置よりも長くして、前記上ルーバー６ａが開口部１ａの枠体１上面側を開口する回動位置では、風向板６ｃの後縁位置が下ルーバー６ｂの後縁位置よりも空気吹出口４側に位置する構成としたから、空気吹出口４から上方へ向かう空気流が風向板６ｃに誘導されて間隔７へ向かいやすくなり、風向板６ｃによって制御された風が吹き出すことができる。
【０００９】
また、前記ルーバー枠体６には複数の風向板６ｃを連結する連結部材８を取付け、複数の風向板６ｃが連動して同一方向を向く風向板ユニットＵを構成し、２つの風向板ユニットＵをルーバー枠体６内に左右に並べて配置し、２つの風向板ユニットＵの隣接する２枚の風向板６ｃ’に取り付けて、２つの風向板ユニットＵを連結するユニット連結部材９を設け、２つの風向板ユニットＵはユニット連結部材９によって連動して互いに逆方向を向くことにより、一枚の風向板６ｃを動かせば、一度に複数枚の風向板６ｃが動くから調和空気の吹き出し幅の変更を素早く簡単に行うことができるものとなった。
【発明の効果】
【００１０】
この発明は、枠体１内で上方に向かって開口する空気吹出口４を設け、空気吹出口４の上方の枠体１上面と前面上部とが連続するコーナー部に開口部１ａを設け、開口部１ａに上ルーバー６ａと下ルーバー６ｂと風向板６ｃで構成したルーバー枠体６を取り付けたものである。
室内の除湿や洗濯物の乾燥を行うときは、上ルーバー６ａが開口部１ａの上面側を開口して、空気吹出口４から吹き出す空気流が枠体１の上方もしくは斜め前方に向かうようにしており、このときに下ルーバー６ｂの後縁が空気吹出口４の上方に位置するから、空気吹出口４から上方へ向かう空気流が上ルーバー６ａと下ルーバー６ｂとの間隔７に向かい、風向板６ｃによって流れが制御できるものであり、上調和空気の上下方向と左右方向の吹き出し角度を任意に変更することができる。
【００１１】
一方、収納空間の除湿を行うときは、上ルーバー６ａが開口部１ａの上面側を閉じるようにルーバー枠体６をセットして枠体１の前方に向かうようにしており、空気吹出口４から上方に向かう空気流は下ルーバー６ｂの下面で遮られて間隔７への流入が阻止され、下ルーバー６ｂの上方へ向かう空気流は上ルーバー６ａの下面にあたって方向を変えて開口部１ａから枠体１前方へ吹き出すものである。このように、開口部１ａの上面側が閉じられたときは風向板６ｃの向きに関係なく調和空気を枠体１の前方へ真っ直ぐ吹き出すことができ、収納空間の乾燥を行うときに風向板６ｃの向きを調整する必要はなくなり、使用者が風向板６ｃの調整を忘れても、確実に収納空間へ調和空気を送ることができるものとなった。
【００１２】
また、下ルーバー６ｂは上ルーバー６ａよりも前後方向の長さを短くして、ルーバー枠体６の後部側に寄せて配置すると共に、風向板６ｃの前縁位置と下ルーバー６ｂの前縁位置を一致させており、空気吹出口４は開口部１ａより前後方向を短くして枠体１の前面側に寄せて配置しており、上ルーバー６ａが開口部１ａの上面側を閉じるようにセットしたときに、下ルーバー６ｂが空気吹出口４より後方の上面板４ａと対向する位置に収納され、風向板６ｃと下ルーバー６ｂが空気吹出口４の上方に突出しない構造としている。このため、空気吹出口４から上方へ向かう空気流は下ルーバー６ｂや風向板６ｃにあたることなく上ルーバー６ａの下面に届くので、間隔７への流入を確実に阻止して風向板６ｃに制御されない空気流が形成でき、枠体１の前方へ真っ直ぐ吹き出すことができるものとなった。
【００１３】
また、風向板６ｃの後縁位置を下ルーバー６ｂの後縁位置より長くして、上ルーバー６ａが開口部１ａの上面側が開口するようにセットしたときに風向板６ｃの後縁が下ルーバー６ｂの後縁より空気吹出口４の近くに位置するようにしたから、空気吹出口４から上方へ向かう空気流は下ルーバー６ｂより先に風向板６に誘導されて間隔７へ向かうので、開口部１ａから吹き出す風を確実に風向板６ｃで制御できるものとなった。
【００１４】
また、複数の風向板６ｃを連結部材８によって連結した風向板ユニットＵを構成し、ルーバー枠体６内には２つの風向板ユニットＵ１・Ｕ２を左右に並べて配置し、風向板ユニットＵ１・Ｕ２の隣接する側の２枚の風向板６ｃ’をユニット連結部材９で連結しており、２つの風向板ユニットＵ１・Ｕ２はユニット連結部材９によって連動して互いに逆方向を向くように構成している。このため、一方の風向板ユニットＵの風向板６ｃを外側へ向けると他方の風向板ユニットＵの風向板６ｃも外側へ向き、逆に一方の風向板ユニットＵの風向板６ｃを内側へ向けると、他方の風向板ユニットＵの風向板６ｃも内側へ向くから、１枚の風向板６ｃの向きを変更するだけで調和空気の吹き出し幅を広げたり、狭めたりすることができ、操作性を向上することができた。
【図面の簡単な説明】
【００１５】
【図１】この発明の実施例を示す除湿機の縦断面図である。
【図２】この発明の実施例を示すルーバー枠体が閉じた状態を示す断面図である。
【図３】この発明の実施例を示すルーバー枠体が開いた状態を示す断面図である。
【図４】この発明の実施例を示すルーバー枠体が開いた状態を示す上面図である。
【図５】この発明の実施例を示す風向板を外側に向けた状態を示す正面図である。
【図６】この発明の実施例を示す風向板を内側に向けた状態を示す正面図である。
【発明を実施するための形態】
【００１６】
図に示す実施例によってこの発明を説明すると、１は空気調和機の枠体、１０は枠体１内に配置した冷媒圧縮用の圧縮機、１１は圧縮機１０で圧縮された高温高圧のガス状冷媒が送られるコンデンサ、１２は図示しない減圧器で減圧された冷媒が送られるエバポレータであり、冷媒はエバポレータ１２に送られて気化し、冷媒の気化熱によって周囲を冷却する。エバポレータ１２で気化した冷媒ガスは圧縮機１０に戻され、圧縮機１０で再び加圧されてコンデンサ１１に送られて循環している。
【００１７】
図に示す実施例は除湿機とよばれる一体型の空気調和機であり、３は枠体１の背面に設けた空気吸込口、４は枠体１内で上方に向かって開口ように設けた空気吹出口、２は空気吸込口３と空気吹出口４とを連通する枠体１内に設けた空気流路であり、空気流路２内にコンデンサ１１とエバポレータ１２が配置されている。５は空気流路２内に配置したコンデンサ１１とエバポレータ１２に送風する送風ファンであり、送風ファン５によって送風される風の上流側にエバポレータ１２が配置され、下流側にコンデンサ１１が配置されている。
【００１８】
送風ファン５を運転すると、空気吸込口３から空気流路２内に送られる空気がエバポレータ１２を通過するときに冷媒の気化熱によって冷却され、空気中に含まれる水分がエバポレータ１２の表面に結露して除湿される。そして、エバポレータ１２で除湿されて水分が除去された空気はコンデンサ１１に送られ、圧縮機１０から送られる高温のガス状冷媒を冷却して液化させ、コンデンサ１１を通過した調和空気が空気吹出口４から室内に吹き出す。
【００１９】
１３は枠体１内のエバポレータ１２の下方に配置したドレン受け、１４は枠体１内の下部に配置したドレンタンクであり、エバポレータ１２の表面に結露したドレン水はドレン受け１３に落下し、ドレン受け１３に落下したドレン水はドレンタンク１４に溜まり、ドレンタンク１４が満量となったときは、ドレンタンク１４を枠体１内から取り出して捨て水する。
【００２０】
１ａは空気吹出口４より上方の枠体１前面上部と上面との連続するコーナー部に形成した開口部、４ｂは空気吹出口４に設けたガードであり、空気吹出口４から開口部１ａに連続する空間が形成されており、送風ファン５の風は空気吹出口４からこの空間内に送られる。６は開口部１ａに配置して空気吹出口４から上方へ向かう空気流を制御するルーバー枠体、６ａは前記開口部１ａの上面側を覆う大きさで形成したルーバー枠体６の上面を構成する上ルーバー、６ｄは上ルーバー６ａの両端に設けた側板、６ｅは側板６ｄに設けた回転軸、１ｂは回転軸６ｅが嵌合する枠体１の内壁面に設けた軸孔であり、ルーバー枠体６は回転軸６ｅを中心に上下方向に回動可能に取付けられている。
【００２１】
１５はルーバー枠体６の回転軸６ｅと接続してルーバー枠体６を駆動する駆動手段であり、駆動手段１５によって上ルーバー６ａの先端を上下に往復運動させており、ルーバー枠体６は開口部１ａから吹き出す風の方向を枠体１の上方から前方の範囲で任意に可変できるようにしている。
【００２２】
６ｂは前記ルーバー枠体６の側板６ｄの下端に取り付けられた下ルーバーであり、上ルーバー６ａと下ルーバー６ｂとが間隔７をあけて上下に平行に配置されている。６ｃは上ルーバー６ａと下ルーバー６ｂとの間隔７に配置された風向板、６ｆは風向板６ｃの上下に形成した支軸、６ｇは上ルーバー６ａと下ルーバー６ｂに設けた支軸６ｆが嵌合する軸孔であり、風向板６ｃは支軸６ｆが軸孔６ｇに嵌合して上ルーバー６ａと下ルーバー６ｂとの間に挟持され、支軸６ｆを中心に左右方向に回動自在に取付けられており、ルーバー枠体６は上ルーバー６ａと下ルーバー６ｂと風向板６ｃとで一体に構成されている。
なお、下ルーバー６ｂの前後方向の幅は風向板と同じ長さに形成している。
【００２３】
上記の構成であれば、ルーバー枠体６を回転軸６ｅを中心に回動して上ルーバー６ａの先端を上方へ向けると開口部１ａの枠体１上面側が開口するものであり、このとき、下ルーバー６ｂの後縁が空気吹出口４の上方に位置するように構成したから、空気吹出口４から上方へ向かう空気流が上ルーバー６ａと下ルーバー６ｂとの間隔７に流入し、間隔７に配置した風向板６ｃで方向を制御された風を開口部１ａから枠体１の上方や斜め上方へ吹き出すことができる。
【００２４】
また、ルーバー枠体６を回動して上ルーバー６ａの先端を前方に向けると、開口部１ａは上ルーバー６ａによっての枠体１上面側が閉じられて枠体１前面側が開口し、空気吹出口４と風向板６ｃの間に下ルーバー６ｂが位置して風向板６ｃが下ルーバー６ｂによって空気吹出口４から隠れた位置となり、空気吹出口４から上方に向かう空気流は、上ルーバー６ａの下面にぶつかって流れを変え、開口部１ａの枠体１前面側から前方に吹き出すことができる。そして、この構成では、空気吹出口４から上方に向かう空気流が下ルーバー６ｂの下面で遮られて間隔７への流入が阻止されており、下ルーバー６ｂと空気吹出口４との隙間が狭くなっているから、下ルーバー６ｂの下面にぶつかった空気が後部側に向かうことがなく、風向板６ｃを避けて上方へ向かう空気流となり、上ルーバー６ａの下面にあたって前方へ向きを変え、開口部１ａから前方に吹き出すものであり、風向板６ｃで制御されない空気流を作り出すことができる。
【００２５】
このため、室内の除湿や室内に干した洗濯物の乾燥を行うときは、上ルーバー６ａの先端を上方に向ければ、風向板６ｃによって左右方向の吹き出し方向の調整が可能となり、調和空気を任意に変更して使用することができる。
そして、洗濯物の乾燥を行うときは、洗濯物の量が多いときは、吹き出し幅を広くして調和空気が洗濯物の全体にあたるようにし、逆に洗濯物の量が少ないときは吹き出し幅を狭くして調和空気が集中してあたるように送風することで効率よく乾燥ができる。
【００２６】
一方、押し入れや靴箱など収納空間の乾燥を行うときは、上ルーバー６ａの先端を前方に向けることで開口部１ａの上面側が閉じられて、開口部１ａの枠体１前面側が開口するので、開口部１ａから前方に調和空気を吹き出すことができる。
このとき、風向板６ｃの向きに関係なく開口部１ａから枠体１前方の正面に向かって調和空気が吹き出すから、風向板６ｃの角度調整は不要であり、角度調整を忘れた場合でも開口部１ａが収納空間を向くように本体を設置するだけで確実に収納空間へ調和空気を送ることができる。
また、従来は空気調和機が収納空間を向いていれば、調和空気が送り込まれていると思い込んで、実際には収納空間から外れていても気がつかないまま使用してしまうことがあったか、この構成では空気調和機の開口部１ａの向きと必ず同じ方向に調和空気が吹き出されるから送風方向を間違えることはなく、確実に収納空間の乾燥ができるものとなった。
【００２７】
また、この発明では空気吹出口４を開口部１ａの前後方向の長さより短くして、枠体１の前面側に寄せて配置しており、４ａは空気吹出口４の後方の空気吹出口４のない上面板を形成している。また、ルーバー枠体６を構成している下ルーバー６ｂの前後方向の長さを上ルーバー６ａの前後方向の長さより短く設定し、ルーバー枠体６の後部側に寄せて配置し、風向板６ｃの前縁位置を下ルーバー６ｂの前縁位置に一致させている。
この構成によって、上ルーバー６ａの先端を前方に向けて開口部１ａの枠体１上面側を閉じたときに下ルーバー６ｂが空気吹出口４より後方の上面板４ａの上方に位置し、下ルーバー６ｂが空気吹出口４とは対向しない位置に配置される。このため、空気吹出口４から上方へ向かう空気流は下ルーバー６ｂや風向板６ｃにはあたらなくなり、上ルーバー６ａの下面に届いて上ルーバー６ａの下面で流れを変えるので、風向板６ｃに制御されない空気流を作り出すことができ、確実に開口部１ａから枠体１の正面前方に向かう空気流が形成できるものとなり、下ルーバー６ｂが空気流の妨げになることはなく、開口部１ａの前方に向かう空気流が遠くまで届きやすくなる。
【００２８】
また、この発明では風向板６ｃの後縁位置を下ルーバー６ｂの後縁位置よりも長く設定しており、上ルーバー６ａの先端を上方に向けて開口部１ａの上面側を開口したときに、風向板６ｃの後縁位置が下ルーバー６ｂの後縁位置よりも低くなり、空気吹出口４に近づけることができる。このため、空気吹出口４から上方に向かう空気流が下ルーバー６ｂの後縁よりも先に風向板６ｃに制御されて間隔７に誘導されるので、間隔７に向かう空気流が多く、下ルーバー６ｂの下面側に沿って流れる空気流を少なくでき、風向板６ｃによって吹き出し幅を制御しやすくなった。
【００２９】
また、図６において、６ｈは風向板６ｃの支軸６ｆとは異なる位置に設けた連結部、８は複数の風向板６ｃの連結部６ｈに取り付けて複数の風向板６ｃを連結するための連結部材であり、実施例では、３枚の風向板６ｃが連結されている。Ｕは連結された複数の風向板６ｃで構成する風向板ユニットであり、風向板ユニットＵのうち１枚の風向板６ｃの向きを変えると他の風向板６ｃも連動して同一方向を向くものである。この発明では、２つの風向板ユニットＵ１・Ｕ２をルーバー枠体６内に左右に並べて配置している。
【００３０】
９は風向板ユニットＵ１・Ｕ２を連結するユニット連結部材であり、ユニット連結部材９は２つの風向板ユニットＵ１・Ｕ２のルーバー枠体６中央で隣り合う２枚の風向板６ｃ’に接続されており、ユニット連結部材９は一方の風向板ユニットＵ１の風向板６ｃ’の支軸６ｆより前縁側と、他方の風向板ユニットＵ２の風向板６ｃ’の支軸６ｆより後縁側とに接続している。
この構成であれば、一方の風向板ユニットＵ１の１枚の風向板６ｃの向きを外側に向けると、他方の風向板ユニットＵ２の風向板６ｃが連動して外側に向き、また、これとは反対に、一方の風向板ユニットＵ１の１枚の風向板６ｃの向きを内側に向けると、他方の風向板ユニットＵ２の風向板６ｃも連動して内側に向くものであり、１枚の風向板６ｃを操作するだけで吹き出し幅を素早く変更することができ、使い勝手が向上できるものである。
【００３１】
また、前記ユニット連結部材９は着脱可能にして、連結する位置を変更できるようにしてもよく、ユニット連結部材９を２枚の風向板６ｃ’の前縁側もしくは後縁側同士に接続すれば風向板ユニットＵ１・Ｕ２の風向板６ｃが全て同じ方向に回動するようになる。また、ユニット連結部材９を取り外せば、２つの風向板ユニットＵ１・Ｕ２の風向板６ｃの角度を別々に設定することも可能となるものである。
【符号の説明】
【００３２】
１    枠体
１ａ  開口部
２    空気流路
３    空気吸込口
４    空気吹出口
４ａ  上面板
５    送風ファン
６    ルーバー枠体
６ａ  上ルーバー
６ｂ  下ルーバー
６ｃ  風向板
６ｃ’隣接する２枚の風向板
７    間隔
８    連結部材
９    ユニット連結部材
Ｕ    風向板ユニット
【図１】
0005664290.tif 000002
【図２】
0005664290.tif 000003
【図３】
0005664290.tif 000004
【図４】
0005664290.tif 000005
【図５】
0005664290.tif 000006
【図６】
0005664290.tif 000007